【手続補正書】
【提出日】平成25年6月24日(2013.6.24)
【手続補正１】
【補正対象書類名】明細書
【補正対象項目名】００１１
【補正方法】変更
【補正の内容】
【００１１】
本発明は、送信が保留された電子メールの監査を行う情報処理装置であって、監査対象となる電子メールを監査するための監査画面を表示する監査画面表示手段と、監査対象の電子メールが、当該電子メールに含まれる文字列が原因で送信が保留された電子メールであるかを判定する原因判定手段と、電子メールの引用部分を識別する識別記号を記憶する識別記号記憶手段と、前記原因判定手段により、文字列が原因で送信が保留されたと判定された場合、当該原因となった文字列が前記識別記号記憶手段に記憶された識別記号により識別される引用部分に含まれるかを判定する位置判定手段と、前記電子メールの本文のうち前記監査画面に表示された部分を特定する表示特定手段と、前記位置判定手段により前記文字列が引用部分に含まれないと判定された場合には、前記表示特定手段により、前記識別記号により識別される引用部分を除いた前記電子メールの本文の全てが前記監査画面に表示されたと特定されることに応じて、当該電子メールの送信を許可する指示を受け付け可能にし、一方、前記位置判定手段により前記文字列が引用部分に含まれると判定された場合には、前記表示特定手段により、前記識別記号により識別される引用部分の全てが前記監査画面に表示されたと特定されることに応じて、当該電子メールの送信を許可する指示を受け付け可能にする指示受付手段と、を備えることを特徴とする。
また、本発明は、送信が保留された電子メールの監査を行う情報処理装置であって、監査対象となる電子メールを監査するための監査画面を表示する監査画面表示手段と、監査対象の電子メールが、当該電子メールに含まれる文字列が原因で送信が保留された電子メールであるかを判定する原因判定手段と、前記電子メールの本文のうち前記監査画面に表示された部分を特定する表示特定手段と、前記原因判定手段により、文字列が原因で送信が保留されたと判定された場合、前記表示特定手段により当該保留された原因となった文字列の全てが前記監査画面に表示されたと特定されることに応じて、当該電子メールの送信を許可する指示を受け付け可能にする指示受付手段と、を備えることを特徴とする。
【手続補正２】
【補正対象書類名】明細書
【補正対象項目名】００１２
【補正方法】変更
【補正の内容】
【００１２】
また、本発明は、電子メールの引用部分を識別する識別記号を記憶し、送信が保留された電子メールの監査を行う情報処理装置における情報処理方法であって、前記情報処理装置の監査画面表示手段が、監査対象となる電子メールを監査するための監査画面を表示する監査画面表示手段と、前記情報処理装置の原因判定手段が、監査対象の電子メールが、当該電子メールに含まれる文字列が原因で送信が保留された電子メールであるかを判定する原因判定工程と、前記情報処理装置の位置判定手段が、前記原因判定工程において、文字列が原因で送信が保留されたと判定された場合、当該原因となった文字列が前記記憶された識別記号により識別される引用部分に含まれるかを判定する位置判定工程と、前記情報処理装置の表示特定手段が、前記電子メールの本文のうち前記監査画面に表示された部分を特定する表示特定工程と、前記情報処理装置の指示受付手段が、前記位置判定工程において前記文字列が引用部分に含まれないと判定された場合には、前記表示特定工程において、前記識別記号により識別される引用部分を除いた前記電子メールの本文の全てが前記監査画面に表示されたと特定されることに応じて、当該電子メールの送信を許可する指示を受け付け可能にし、一方、前記位置判定工程において前記文字列が引用部分に含まれると判定された場合には、前記表示特定工程において、前記識別記号により識別される引用部分の全てが前記監査画面に表示されたと特定されることに応じて、当該電子メールの送信を許可する指示を受け付け可能にする指示受付工程と、を備えることを特徴とする。
また、本発明は、送信が保留された電子メールの監査を行う情報処理装置における情報処理方法であって、前記情報処理装置の監査画面表示手段が、監査対象となる電子メールを監査するための監査画面を表示する監査画面表示工程と、前記情報処理装置の原因判定手段が、監査対象の電子メールが、当該電子メールに含まれる文字列が原因で送信が保留された電子メールであるかを判定する原因判定工程と、前記情報処理装置の表示特定手段が、前記電子メールの本文のうち前記監査画面に表示された部分を特定する表示特定工程と、前記情報処理装置の指示受付手段が、前記原因判定工程により、文字列が原因で送信が保留されたと判定された場合、前記表示特定工程により当該保留された原因となった文字列の全てが前記監査画面に表示されたと特定されることに応じて、当該電子メールの送信を許可する指示を受け付け可能にする指示受付工程と、を備えることを特徴とする。
【手続補正３】
【補正対象書類名】明細書
【補正対象項目名】００１３
【補正方法】変更
【補正の内容】
【００１３】
また、本発明は、電子メールの引用部分を識別する識別記号を記憶し、送信が保留された電子メールの監査を行う情報処理装置において実行されるプログラムであって、前記情報処理装置を、監査対象となる電子メールを監査するための監査画面を表示する監査画面表示手段と、監査対象の電子メールが、当該電子メールに含まれる文字列が原因で送信が保留された電子メールであるかを判定する原因判定手段と、前記原因判定手段により、文字列が原因で送信が保留されたと判定された場合、当該原因となった文字列が前記記憶された識別記号により識別される引用部分に含まれるかを判定する位置判定手段と、前記電子メールの本文のうち前記監査画面に表示された部分を特定する表示特定手段と、前記位置判定手段により前記文字列が引用部分に含まれないと判定された場合には、前記表示特定手段により、前記識別記号により識別される引用部分を除いた前記電子メールの本文の全てが前記監査画面に表示されたと特定されることに応じて、当該電子メールの送信を許可する指示を受け付け可能にし、一方、前記位置判定手段により前記文字列が引用部分に含まれると判定された場合には、前記表示特定手段により、前記識別記号により識別される引用部分の全てが前記監査画面に表示されたと特定されることに応じて、当該電子メールの送信を許可する指示を受け付け可能にする指示受付手段として機能させることを特徴とする。
また、本発明は、送信が保留された電子メールの監査を行う情報処理装置において実行されるプログラムであって、前記情報処理装置を、監査対象となる電子メールを監査するための監査画面を表示する監査画面表示手段と、監査対象の電子メールが、当該電子メールに含まれる文字列が原因で送信が保留された電子メールであるかを判定する原因判定手段と、前記電子メールの本文のうち前記監査画面に表示された部分を特定する表示特定手段と、前記原因判定手段により、文字列が原因で送信が保留されたと判定された場合、前記表示特定手段により当該保留された原因となった文字列の全てが前記監査画面に表示されたと特定されることに応じて、当該電子メールの送信を許可する指示を受け付け可能にする指示受付手段として機能させることを特徴とする。
【手続補正４】
【補正対象書類名】特許請求の範囲
【補正対象項目名】全文
【補正方法】変更
【補正の内容】
【特許請求の範囲】
【請求項１】
送信が保留された電子メールの監査を行う情報処理装置であって、
監査対象となる電子メールを監査するための監査画面を表示する監査画面表示手段と、
監査対象の電子メールが、当該電子メールに含まれる文字列が原因で送信が保留された電子メールであるかを判定する原因判定手段と、
電子メールの引用部分を識別する識別記号を記憶する識別記号記憶手段と、
前記原因判定手段により、文字列が原因で送信が保留されたと判定された場合、当該原因となった文字列が前記識別記号記憶手段に記憶された識別記号により識別される引用部分に含まれるかを判定する位置判定手段と、
前記電子メールの本文のうち前記監査画面に表示された部分を特定する表示特定手段と、
前記位置判定手段により前記文字列が引用部分に含まれないと判定された場合には、前記表示特定手段により、前記識別記号により識別される引用部分を除いた前記電子メールの本文の全てが前記監査画面に表示されたと特定されることに応じて、当該電子メールの送信を許可する指示を受け付け可能にし、一方、前記位置判定手段により前記文字列が引用部分に含まれると判定された場合には、前記表示特定手段により、前記識別記号により識別される引用部分の全てが前記監査画面に表示されたと特定されることに応じて、当該電子メールの送信を許可する指示を受け付け可能にする指示受付手段と、
を備えることを特徴とする情報処理装置。
【請求項２】
電子メールの署名部分を識別するための文字列を記憶する署名記憶手段を備え、
前記指示受付手段は、
前記位置判定手段により前記文字列が引用部分に含まれないと判定された場合には、さらに前記署名記憶手段により記憶された文字列を除いた前記電子メールの本文の全てが前記監査画面に表示されたと特定されることに応じて、当該電子メールの送信を許可する指示を受け付け可能にすることを特徴とする請求項１に記載の情報処理装置。
【請求項３】
送信が保留された電子メールの監査を行う情報処理装置であって、
監査対象となる電子メールを監査するための監査画面を表示する監査画面表示手段と、
監査対象の電子メールが、当該電子メールに含まれる文字列が原因で送信が保留された電子メールであるかを判定する原因判定手段と、
前記電子メールの本文のうち前記監査画面に表示された部分を特定する表示特定手段と、
前記原因判定手段により、文字列が原因で送信が保留されたと判定された場合、前記表示特定手段により当該保留された原因となった文字列の全てが前記監査画面に表示されたと特定されることに応じて、当該電子メールの送信を許可する指示を受け付け可能にする指示受付手段と、
を備えることを特徴とする情報処理装置。
【請求項４】
前記指示受付手段は、さらに、
前記原因判定手段により、文字列が原因で送信が保留された電子メールではないと判定された場合、前記表示特定手段により、前記識別記号により識別される引用部分を除いた前記電子メールの本文の全てが前記監査画面に表示されたと特定されることに応じて、当該電子メールの送信を許可する指示を受け付け可能にすることを特徴とする請求項１乃至３のいずれか１項に記載の情報処理装置。
【請求項５】
電子メールの引用部分を識別する識別記号を記憶し、送信が保留された電子メールの監査を行う情報処理装置における情報処理方法であって、
前記情報処理装置の監査画面表示手段が、監査対象となる電子メールを監査するための監査画面を表示する監査画面表示手段と、
前記情報処理装置の原因判定手段が、監査対象の電子メールが、当該電子メールに含まれる文字列が原因で送信が保留された電子メールであるかを判定する原因判定工程と、
前記情報処理装置の位置判定手段が、前記原因判定工程において、文字列が原因で送信が保留されたと判定された場合、当該原因となった文字列が前記記憶された識別記号により識別される引用部分に含まれるかを判定する位置判定工程と、
前記情報処理装置の表示特定手段が、前記電子メールの本文のうち前記監査画面に表示された部分を特定する表示特定工程と、
前記情報処理装置の指示受付手段が、前記位置判定工程において前記文字列が引用部分に含まれないと判定された場合には、前記表示特定工程において、前記識別記号により識別される引用部分を除いた前記電子メールの本文の全てが前記監査画面に表示されたと特定されることに応じて、当該電子メールの送信を許可する指示を受け付け可能にし、一方、前記位置判定工程において前記文字列が引用部分に含まれると判定された場合には、前記表示特定工程において、前記識別記号により識別される引用部分の全てが前記監査画面に表示されたと特定されることに応じて、当該電子メールの送信を許可する指示を受け付け可能にする指示受付工程と、
を備えることを特徴とする情報処理方法。
【請求項６】
送信が保留された電子メールの監査を行う情報処理装置における情報処理方法であって、
前記情報処理装置の監査画面表示手段が、監査対象となる電子メールを監査するための監査画面を表示する監査画面表示工程と、
前記情報処理装置の原因判定手段が、監査対象の電子メールが、当該電子メールに含まれる文字列が原因で送信が保留された電子メールであるかを判定する原因判定工程と、
前記情報処理装置の表示特定手段が、前記電子メールの本文のうち前記監査画面に表示された部分を特定する表示特定工程と、
前記情報処理装置の指示受付手段が、前記原因判定工程により、文字列が原因で送信が保留されたと判定された場合、前記表示特定工程により当該保留された原因となった文字列の全てが前記監査画面に表示されたと特定されることに応じて、当該電子メールの送信を許可する指示を受け付け可能にする指示受付工程と、
を備えることを特徴とする情報処理装置。
【請求項７】
電子メールの引用部分を識別する識別記号を記憶し、送信が保留された電子メールの監査を行う情報処理装置において実行されるプログラムであって、
前記情報処理装置を、
監査対象となる電子メールを監査するための監査画面を表示する監査画面表示手段と、
監査対象の電子メールが、当該電子メールに含まれる文字列が原因で送信が保留された電子メールであるかを判定する原因判定手段と、
前記原因判定手段により、文字列が原因で送信が保留されたと判定された場合、当該原因となった文字列が前記記憶された識別記号により識別される引用部分に含まれるかを判定する位置判定手段と、
前記電子メールの本文のうち前記監査画面に表示された部分を特定する表示特定手段と、
前記位置判定手段により前記文字列が引用部分に含まれないと判定された場合には、前記表示特定手段により、前記識別記号により識別される引用部分を除いた前記電子メールの本文の全てが前記監査画面に表示されたと特定されることに応じて、当該電子メールの送信を許可する指示を受け付け可能にし、一方、前記位置判定手段により前記文字列が引用部分に含まれると判定された場合には、前記表示特定手段により、前記識別記号により識別される引用部分の全てが前記監査画面に表示されたと特定されることに応じて、当該電子メールの送信を許可する指示を受け付け可能にする指示受付手段として機能させることを特徴とするプログラム。
【請求項８】
送信が保留された電子メールの監査を行う情報処理装置において実行されるプログラムであって、
前記情報処理装置を、
監査対象となる電子メールを監査するための監査画面を表示する監査画面表示手段と、
監査対象の電子メールが、当該電子メールに含まれる文字列が原因で送信が保留された電子メールであるかを判定する原因判定手段と、
前記電子メールの本文のうち前記監査画面に表示された部分を特定する表示特定手段と、
前記原因判定手段により、文字列が原因で送信が保留されたと判定された場合、前記表示特定手段により当該保留された原因となった文字列の全てが前記監査画面に表示されたと特定されることに応じて、当該電子メールの送信を許可する指示を受け付け可能にする指示受付手段として機能させることを特徴とするプログラム。